(57)【要約】【課題】異常状態が発生してから確認操作を得ないまま正常状態への復帰や再度の異常状態の発生が何回あったとしても、それまでの異常状態の発生回数を監視者が迅速かつ確実に知ることのできる状態表示装置及び状態表示方法を提供する。【解決手段】状態表示装置及び状態表示方法は、監視信号の測定値が正常状態であるか異常状態であるかを予め設定された設定値に基づいて判別し、正常状態と判別されたときに第１の表示、該異常状態と判別されたときに第２の表示、及び異常状態のときに監視者によって操作されて確認操作を得ると第３の表示を状態識別表示２２として画面に表示し、さらに、確認操作が得られるまでに発生する異常状態の回数を、異常発生回数として計測し、異常状態のときに確認操作を得ないまま正常状態に復帰したときから、異常発生回数を表す数字表示２３を状態識別表示２２と共に画面に表示する。【選択図】図４
2012008649.tif 000002
【特許請求の範囲】
【請求項１】
監視信号の値が正常状態であるか異常状態であるかを予め設定された設定値に基づいて判別する判別手段と、
監視者によって操作されて確認操作を得るための確認入力手段と、
該判別手段によって該正常状態と判別されたときに第１の表示、該判別手段によって該異常状態と判別されたときに第２の表示、及び該異常状態と判別されたときに該入力手段から該確認操作を得ると第３の表示を、状態識別表示として画面に表示する表示制御手段と、
該確認操作が得られるまでに発生する該異常状態の回数を、異常発生回数として計測する回数計測手段と、
該表示制御手段は、該異常状態のときに該確認入力手段から該確認操作を得ないまま該正常状態に復帰したときから、該回数計測手段によって計測された該異常発生回数を表す数字表示を該状態識別表示と共に該画面に表示することを特徴とする状態表示装置。
【請求項２】
前記表示制御手段が前記状態識別表示と共に前記数字表示を前記画面に表示した状態で、前記表示制御手段は、前記入力手段から前記確認操作を得たときに該数字表示を該画面から消すことを特徴とする請求項１に記載の状態表示装置。
【請求項３】
前記表示制御手段は、前記状態識別表示に前記数字表示を重ねて前記画面に表示することを特徴とする請求項１に記載の状態表示装置。
【請求項４】
前記表示制御手段は、前記第１の表示として第１の色を付した表示、前記第２の表示として第２の色を付した表示、及び前記第３の表示として第３の色を付した表示を前記画面に表示することを特徴とする請求項１に記載の状態表示装置。
【請求項５】
監視信号の測定値が正常状態であるか異常状態であるかを予め設定された設定値に基づいて判別し、
該正常状態と判別されたときに第１の表示、該異常状態と判別されたときに第２の表示、及び該異常状態のときに監視者によって操作されて確認操作を得ると第３の表示を状態識別表示として画面に表示し、
さらに、該確認操作が得られるまでに発生する該異常状態の回数を、異常発生回数として計測し、
該異常状態のときに該確認操作を得ないまま該正常状態に復帰したときから、該異常発生回数を表す数字表示を該状態識別表示と共に該画面に表示することを特徴とする状態表示方法。
【請求項６】
前記状態識別表示と共に前記数字表示が表示された状態で、前記確認操作がされたときに該数字表示を前記画面から消すことを特徴とする請求項５に記載の状態表示方法。
【請求項７】
前記状態識別表示に前記数字表示を重ねて前記画面に表示することを特徴とする請求項５に記載の状態表示方法。
【請求項８】
前記第１の表示として第１の色を付した表示、前記第２の表示として第２の色を付した表示、及び前記第３の表示として第３の色を付した表示を前記監視画面に表示することを特徴とする請求項５に記載の状態表示方法。
【発明の詳細な説明】
【技術分野】
【０００１】
本発明は、監視信号が正常状態か異常状態かを画面に表示し、異常状態のときに確認操作を得ると表示を変える状態表示装置及び状態表示方法に関するものである。
【背景技術】
【０００２】
生産設備、発電設備、水流管理設備、温度管理設備や検査設備などの各種設備の作動状態やその環境状態を、監視室で監視することが行われている。このような監視室には、設備等の状態を画面に表示する状態表示装置が設置されている。監視者は、その画面を確認することで設備等を監視する。
【０００３】
状態表示装置には、設備の各部の電圧値、電流値、電力値及び温度値や、設備及び部品の故障検出信号や、周囲温度値、周囲湿度値、結露の有無などを表す様々な監視信号が接続されていて、状態表示装置は、この監視信号を予め設定された設定値に基づいて監視信号が正常状態であるか異常状態であるかを判別し、その結果を画面に表示する。このような状態表示装置として、特許文献１にアラーム表示装置が開示されている。
【０００４】
特許文献１に開示されたアラーム表示装置では、画面に表示される丸型の第１の表示手段と、それを同心円状に取り巻く第２の表示手段とを有していて、第１の表示手段は、正常状態で緑色、異常状態で赤色を表示する。又、第２の表示手段は、一度異常状態になると黄色の点滅を表示し続け、マウスで確認操作を行うと消灯する。これにより、異常が発生してから確認操作が無いまま正常状態に復帰したときに、監視者がその異常の発生を見逃したとしても、第２の表示手段の黄色点滅が続くので、異常の発生の確認漏れを防ぐことができる。
【０００５】
ところが、このアラーム表示装置には、異常状態になってから正常状態に復帰し、その後さらに異常状態になったときやこれを繰り返したときには、第２の表示手段は黄色点滅するものの、それまでに異常状態が１回だけ発生したのか複数回発生したのかを確認できないという問題がある。
【先行技術文献】
【特許文献】
【０００６】
【特許文献１】特許第３５７２６０４号公報
【発明の概要】
【発明が解決しようとする課題】
【０００７】
本発明は前記の課題を解決するためになされたもので、異常状態が発生してから確認操作を得ないまま正常状態への復帰や再度の異常状態の発生が何回あったとしても、それまでの異常状態の発生回数を監視者が迅速かつ確実に知ることのできる状態表示装置及び状態表示方法を提供することを目的とする。
【課題を解決するための手段】
【０００８】
前記の目的を達成するためになされた、特許請求の範囲の請求項１に記載された状態表示装置は、監視信号の値が正常状態であるか異常状態であるかを予め設定された設定値に基づいて判別する判別手段と、監視者によって操作されて確認操作を得るための確認入力手段と、該判別手段によって該正常状態と判別されたときに第１の表示、該判別手段によって該異常状態と判別されたときに第２の表示、及び該異常状態と判別されたときに該入力手段から該確認操作を得ると第３の表示を、状態識別表示として画面に表示する表示制御手段と、該確認操作が得られるまでに発生する該異常状態の回数を、異常発生回数として計測する回数計測手段と、該表示制御手段は、該異常状態のときに該確認入力手段から該確認操作を得ないまま該正常状態に復帰したときから、該回数計測手段によって計測された該異常発生回数を表す数字表示を該状態識別表示と共に該画面に表示することを特徴とする。
【０００９】
請求項２に記載された状態表示装置は、請求項１に記載されたものであり、前記表示制御手段が前記状態識別表示と共に前記数字表示を前記画面に表示した状態で、前記表示制御手段は、前記入力手段から前記確認操作を得たときに該数字表示を該画面から消すことを特徴とする。
【００１０】
請求項３に記載された状態表示装置は、請求項１に記載されたものであり、前記表示制御手段は、前記状態識別表示に前記数字表示を重ねて前記画面に表示することを特徴とする。
【００１１】
請求項４に記載された状態表示装置は、請求項１に記載されたものであり、前記表示制御手段は、前記第１の表示として第１の色を付した表示、前記第２の表示として第２の色を付した表示、及び前記第３の表示として第３の色を付した表示を前記画面に表示することを特徴とする。
【００１２】
請求項５に記載された状態表示方法は、監視信号の測定値が正常状態であるか異常状態であるかを予め設定された設定値に基づいて判別し、該正常状態と判別されたときに第１の表示、該異常状態と判別されたときに第２の表示、及び該異常状態のときに監視者によって操作されて確認操作を得ると第３の表示を状態識別表示として画面に表示し、さらに、該確認操作が得られるまでに発生する該異常状態の回数を、異常発生回数として計測し、該異常状態のときに該確認操作を得ないまま該正常状態に復帰したときから、該異常発生回数を表す数字表示を該状態識別表示と共に該画面に表示することを特徴とする。
【００１３】
請求項６に記載された状態表示方法は、請求項５に記載されたものであり、前記状態識別表示と共に前記数字表示が表示された状態で、前記確認操作がされたときに該数字表示を前記画面から消すことを特徴とする。
【００１４】
請求項７に記載された状態表示方法は、請求項５に記載されたものであり、前記状態識別表示に前記数字表示を重ねて前記画面に表示することを特徴とする。
【００１５】
請求項８に記載された状態表示方法は、請求項５に記載されたものであり、前記第１の表示として第１の色を付した表示、前記第２の表示として第２の色を付した表示、及び前記第３の表示として第３の色を付した表示を前記監視画面に表示することを特徴とする。
【発明の効果】
【００１６】
本発明の状態表示装置及び状態表示方法によれば、表示制御手段が、正常状態で第１の表示、異常状態で第２の表示、及び異常状態のときに確認操作を得ると第３の表示を状態識別表示として表示し、さらに、異常状態のときに確認操作を得ないまま正常状態に復帰する未確認復帰があったときから、異常発生回数を表す数字表示を状態識別表示と共に画面に表示することにより、監視者は、状態識別表示によって監視信号が正常か、異常か、又は確認済みかを判別できるだけでなく、数字表示を一目見るだけで、未確認復帰が有ったこと、及びそれまでに発生した異常状態の発生回数を迅速かつ確実に知ることができる。
【００１７】
本発明の状態表示装置及び状態表示方法によれば、確認操作を得たときに数字表示を画面から消すことで、未確認復帰が無くなったことを直ちに表示に反映させることができる。
【００１８】
本発明の状態表示装置及び状態表示方法によれば、状態識別表示に数字表示を重ねて画面に表示することにより、監視者は、状態識別表示を見るときに同時に確実に数字表示を視認することができる。
【００１９】
本発明の状態表示装置及び状態表示方法によれば、第１〜第３の表示を第１〜第３の色で色分けして画面に表示することで、監視者は、状態識別表示の表示内容を一層簡便かつ迅速に確認することができる。
【図面の簡単な説明】
【００２０】
【図１】本発明を適用する状態表示装置の一例を示すブロック図である。
【図２】図１のディスプレイの画面表示の一例を示す正面図である。
【図３】図１のディスプレイの画面表示の他の一例を示す正面図である。
【図４】ディスプレイに表示される状態識別表示及び数字表示の変化を示す図である。
【図５】本発明を適用する状態表示方法の一例を示すフローチャートである。
【発明を実施するための形態】
【００２１】
以下、本発明の実施形態を詳細に説明するが、本発明の範囲はこれらの実施形態に限定されるものではない。
【００２２】
図１に示す状態表示装置１は、制御装置１０にディスプレイ１１、マウス１２、及びキーボード１３が接続されたものであり、設備等の状態を監視してその状態を表示するものである。
【００２３】
制御装置１０は、一例としてパーソナルコンピュータなどのコンピュータ装置であって、ＣＰＵ（Central Processing Unit）、記憶部、データ入力インタフェース、ビデオカード、入出力インタフェースなどを備えている。この制御部１０は、記憶部に記憶された動作用プログラムによって動作して、各種演算が可能である。又、制御部１０は、ビデオカードに接続されたディスプレイ１１に画像を表示可能である。又、制御部１０は、マウス１２やキーボード１３によって各種の入力操作が可能である。さらに、制御部１０は、データ入力インタフェースから入力される値やキーボード１３から入力される値及び各種演算値などを記憶部に記憶可能である。
【００２４】
制御装置１０のデータ入力インタフェースには、一例として、監視対象となる各種設備に付された測定器から出力される電圧値や電流値等、及び例えば設備が正常時にハイレベル及び故障時にローレベルで出力される故障検出信号などの監視信号Ｄ１〜Ｄ６（以下、区別しないときは単に監視信号Ｄともいう）が入力されている。入力する監視信号の種類や数は任意である。このデータ入力インタフェースは、監視信号Ｄとして電圧値等を示すアナログ信号を入力してデータ入力インタフェースでアナログ／デジタル変換する構成としてもよいし、監視信号として電圧値等を示すデジタルデータを入力する構成であってもよい。デジタルデータで入力する場合には、データ入力インタフェースとして、ＵＳＢ（Universal Serial Bus）やＬＡＮ（Local Area Network）を用いて入力する構成としてもよい。
【００２５】
この制御部１０の記憶部に、監視信号Ｄ１〜Ｄ６が正常状態であるか異常状態であるかを判別するための設定値を予め記憶させておく。設定値は、監視信号Ｄ１〜Ｄ６ごとに設定する。一例として、設定値の入力は、制御装置１０がディスプレイ１１の画面に設定値を入力するための入力画面（図示せず）を表示して、それを監視者が見ながらキーボード１３を操作して数値入力することで行う。この設定値は、例えば、監視信号Ｄ１が電圧値である場合、この電圧値が２０Ｖ以下で正常状態、２０Ｖを越えるときに異常状態であるときに、監視信号Ｄ１に対する設定値として、２０Ｖの値及びこの値を越えるときに異常状態であることを設定する。又、監視信号Ｄ６が論理信号であり、正常時にハイレベル、異常時にローレベルであるときに、設定値としてローレベルのときに異常状態であることを設定する。設定値は、異常状態となる数値範囲で設定してもよい。又、逆に正常状態となる数値範囲で設定することもできる。
【００２６】
このような制御部１０は、記憶部に記憶された状態表示用の動作用プログラムと協働して、本発明における判別手段、表示制御手段、及び回数計測手段として動作するものである。又、制御部１０及びマウス１２は、記憶部に記憶された状態表示用の動作用プログラムと協働して、本発明における確認入力手段として動作するものである。
【００２７】
図２、３に、制御部１０が状態表示用の動作用プログラムを起動したときに、表示制御手段がディスプレイ１１の画面２０に表示する監視ウインドウ２１の一例を示す。監視ウインドウ２１には、監視信号Ｄ１〜Ｄ６に対応するＣＨ１〜ＣＨ６の状態を示す状態識別表示２２、２２・・・が表示されている。又、状態識別表示２２は、一例として、円形状で表示されている。
【００２８】
又、図３に、表示制御手段が画面２０に表示する確認ウインドウ２５の一例を示す。確認ウインドウ２５には、異常状態が発生したＣＨ番号、発生日時、確認日時、復帰日時の表示欄が表示され、それぞれ対応する値が表示される。この確認ウインドウ２５は、監視信号Ｄが異常状態となったときに画面２０に表示される。監視者がマウス１２（図１参照）を操作して、画面２０上のマウスポインタ２４を確認ウインドウ２５に合わせてからマウス１２の操作ボタンをクリック操作することで、確認入力手段は、異常状態の発生の確認を監視者が行ったという意味の確認操作を得たことを表示制御手段に出力する。確認操作が有ったときに、表示制御手段は、この確認ウインドウ２５を自動的に画面２０から消してもよいし、確認操作後に正常状態に復帰したときに画面２０から自動的に消してもよいし、操作者がウインドウを閉じる操作をするまで表示し続けるようにしてもよい。
【００２９】
図４に、状態識別表示２２及び数字表示２３がどのように画面２０に表示されるかその変化の様子を示す。なお、図２〜図４では、状態識別表示２２の色は、円形状のみの表示は緑色、斜線を付した表示は赤色、点の集合を付した表示は橙色であるものとする。
【００３０】
制御装置１０は、判別手段が、入力される監視信号Ｄ１〜Ｄ６の値が正常状態であるか異常状態であるかを予め記憶部に設定された各設定値に基づいて判別して、表示制御手段が、図４に示すように、判別手段によって正常状態と判別されたときに第１の表示として第１の色である緑色、判別手段によって異常状態と判別されたときに第２の表示として第２の色である赤色、さらに異常状態と判別されて赤色で表示されているときに操作入力手段から確認操作が得られると第３の表示として第３の色である橙色で、状態識別表示２２を画面２０に表示する。さらに、制御装置１０は、回数計測手段が、確認操作が得られるまでに発生する異常状態の回数を、異常発生回数として計測する。表示制御手段は、異常状態のときに確認入力手段から確認操作を得ないまま正常状態に復帰したときから、回数計測手段によって計測された異常発生回数を表す数字表示２３を状態識別表示２２と共に画面２０に表示する。表示制御手段は、状態識別表示２２と共に数字表示２３を画面２０に表示した状態で、確認入力手段から確認操作を得たときに、数字表示２３を画面２０から消すことが好ましい。
【００３１】
以下、この状態表示装置１の動作について、図５に示すフローチャートを参照してさらに詳細に説明する。
【００３２】
監視信号Ｄ１〜Ｄ６の監視を行うために状態表示用の動作プログラムが起動されると制御部１０は最初に初期設定を行う（ステップ１０。同図では「ステップ」を「Ｓ」で表す）。この初期設定で、制御部１０は、画面２０に監視ウインドウ２１を表示させる（図２参照）。又、制御部１０は、監視信号Ｄ１〜Ｄ６ごとの回数計測手段の異常発生回数の計測値を０にリセットする。
【００３３】
尚、制御部１０は監視信号Ｄ１〜Ｄ６のそれぞれに対して以下の動作を実行するが、それぞれに対する動作は同様であるので、監視信号Ｄ１に対する制御部１０の動作について説明し、他の監視信号Ｄ２〜Ｄ６に対する説明は省略する。
【００３４】
制御部１０は、ステップ１１で監視信号Ｄ１の値が異常状態であるか否かを予め記憶部に設定された各設定値に基づいて判別する。
【００３５】
ステップ１１で監視信号Ｄ１が異常状態ではない、つまり正常状態であると判別されたときに、制御部１０は、ステップ１２に進み、ＣＨ１の状態識別表示２２を、第１の表示として第１の色である緑色で表示する。この状態を図４の（１）に示す。
【００３６】
次に、制御部１０は、ステップ１３で異常発生回数の計測値が１以上であるか否かを判別し、この場合０であるので、ステップ１９に進み、監視信号Ｄ１が異常状態になるまで監視を続ける。
【００３７】
ステップ１９で、異常状態が発生したときに、制御部１０は、ステップ１１に戻り、ステップ１１でも異常状態であると判別されるのでステップ２１に進み、状態識別表示２２を、第２の表示として第２の色である赤色で表示する。この状態を図３及び図４の（２）に示す。また、図３に示すように、異常状態が発生すると、制御部１０は、画面２０に確認ウインドウ２５を表示する。
【００３８】
図３に示す、確認ウインドウ２５には、ＣＨ１の番号と異常状態になった発生日時とが表示されている。確認日時及び復帰日時の欄は、まだ確認操作及び復帰がされていないので空欄になっている。又、確認ウインドウ２５には、過去に発生した異常状態に対するＣＨ番号、発生日時、確認日時、復帰日時も表示されている。例えば、同図に示すように、過去にＣＨ３で異常状態が発生しその発生日時と確認日時が表示されている。このＣＨ３では、確認日時欄に確認操作がされた日時が表示されていて、復帰欄はまだ復帰がされていないので空欄になっている。又、過去にＣＨ５で異常状態が発生した発生日時、確認日時、及び復帰日時が対応する欄に表示されている。
【００３９】
図５に戻って説明を続けると、次に、制御部１０は、ステップ２２で異常発生回数が１以上であるか否かを判別し、この場合０であるのでステップ２３に進み、異常発生回数に１を加算して、ステップ２５で確認操作の有無を判別する。
【００４０】
制御部１０は、ステップ２５で確認操作が無いときは、確認操作が得られるまで、又はステップ２６で監視信号Ｄ１が正常状態に復帰したと判別するまで、ステップ２５、ステップ２６を繰り返す。
【００４１】
ステップ２５で確認操作が有るときは、制御部１０は、ステップ２７に進み、ＣＨ１の状態識別表示２２を、第３の表示として第３の色である橙色で表示する。この状態を図４の（３）に示す。
【００４２】
次に、制御部１０は、ステップ２８で異常発生回数を０にリセットし、ステップ２９で監視信号Ｄ１が正常状態に復帰するまで監視を続ける。
【００４３】
ステップ２９で、正常状態になったと判別されたとき、制御部１０は、ステップ１１に戻り、ステップ１２に進んで、状態識別表示２２を緑色で表示する。この状態を図４の（４）に示す。
【００４４】
このように、状態識別表示２２が、正常状態で緑色、異常状態で赤色、異常状態のときに確認操作をすると橙色になるので、監視者は監視信号が正常であるか異常であるかを知ることができると共に、確認操作を行ったか否かを確認することができる。又、数字表示２３が表示されていないときには、監視者の確認漏れが発生していないことを確認することができる。
【００４５】
一方、ステップ２５で、確認操作の無いままステップ２６で正常状態に復帰したときは、制御部１０は、ステップ１１に戻り、ステップ１２に進んで、状態識別表示２２を緑色で表示する。続いて、制御部１０は、ステップ１３で異常発生回数が１以上であるか否かを判別し、この場合１であるので、ステップ１４に進み、状態識別表示２２の領域内に重なるように、異常発生回数の「１」を数字表示２３として表示する。この状態を図４の（５）に示す。
【００４６】
このように、緑色の状態識別表示２２に「１」の数字表示２３が重ねて表示されることで、現在は正常状態に復帰しているが、確認操作のされなかった異常状態が過去に１回発生していることがわかる。
【００４７】
図５に戻って説明を続けると、制御部１０は、ステップ１５で確認操作が得られるまで、又はステップ１６で監視信号Ｄ１が異常状態になったと判別するまでステップ１５、１６を繰り返す。
【００４８】
制御部１０は、ステップ１６で異常状態になったと判別したときは、異常発生回数に１を加えて（ステップ１７）、ステップ１１に戻り、ステップ２１に進んで、状態識別表示２２を赤色で表示する。続いて、制御部１０は、ステップ２２で異常発生回数が１以上であるか否かを判別し、この場合２であるので、ステップ２４に進み、数字表示２３として表示されていた「１」を異常発生回数の「２」に代えて、状態識別表示２２に重ねて表示する。この状態を図４の（６）に示す。
【００４９】
このように、赤色の状態識別表示２２に「２」の数字表示２３が重ねて表示されることで、過去に確認操作されないまま正常状態に復帰していて、現在の異常状態は２回目の異常状態であることがわかる。
【００５０】
図５に戻って説明すると、制御部１０は、ステップ２５で確認操作が得られたときに、ステップ２７で状態識別表示２２を橙色で表示して、ステップ２８で異常発生回数を０にリセットする。このリセットにより、制御部１０は、数字表示２３の「２」を消す。この状態を図４の（７）に示す。
【００５１】
続いて、制御部１０は、ステップ２９に進み、監視信号Ｄ１が正常状態に復帰するまで監視を続ける。ステップ２９で、正常状態に復帰したことを判別すると、ステップ１１に戻り、ステップ１２に進んで、状態識別表示２２を緑色で表示する。この状態を図４の（８）に示す。
【００５２】
一方、赤色の状態識別表示２２に「２」の数字表示２３がされているとき（図４の（６）のとき）に、ステップ２５で、確認操作の無いままステップ２６で正常状態に復帰したと判別したときは、ステップ１１に戻り、ステップ１２に進んで、「２」の数字表示がされたまま状態識別表示２２を緑色で表示して、ステップ１３、１４へ進む。このステップ１４でも数字表示２３は変わらず「２」のまま表示される。この状態を、図４の（９）に示す。
【００５３】
このように、緑色の状態識別表示２２に「２」の数字表示２３が重ねて表示されることで、現在は、正常状態に復帰しているが、確認操作のされなかった異常状態が過去に２回発生していることがわかる。
【００５４】
図５に戻って説明すると、制御部１０は、ステップ１４からステップ１５に進み、ステップ１５で確認操作が得られたときは、ステップ１８で異常発生回数を０にリセットする。これにより、制御部１０は、状態識別表示２２と共に表示させていた数字表示２３の「２」を画面２０から消す。この状態を図４の（１０）に示す。
【００５５】
状態表示装置１は、以上のようにして動作を続ける。尚、図４の（５）に示す緑色の状態識別表示２２に「１」の数字表示２３を表示させている状態で、確認操作を得たときには、制御部１０は、数字表示２３を消す。又、図４の（９）に示す緑色の状態識別表示２２に「２」の数字表示２３を表示させている状態で、確認操作を得ないまま、異常状態と正常状態とが繰り返されると、制御部１０は、数字表示２３を「３」、「４」、「５」・・・と順次数字を大きくして表示する。
【００５６】
以上のように動作することで、監視者は、状態識別表示２２を視認することで監視信号Ｄが正常か、異常か、又は確認済みかを判別することができる。さらに、異常状態のときに確認操作を得ないまま正常状態に復帰する未確認復帰があった場合、確認操作を得ないまま異常状態になった回数が数字表示２３によって表示されるため、監視者はこの数字表示２３を一目見るだけで、確認操作を得ないままでそれまで発生した異常状態の発生回数を迅速かつ確実に知ることができる。したがって、この異常状態の発生回数を調べるために、例えば確認ウインドウ２５に表示される確認日時の無い異常状態発生の回数を監視者が数えることを要しない。さらに、未確認復帰が無いときには数字表示２３が表示されないので、監視者は、数字表示２３が表示されたときにだけ未確認復帰のあったことを認識すればよい。
【００５７】
尚、確認ウインドウ２５（図３参照）には、確認操作が有ったときに確認日時を表示し、正常状態に復帰したときは復帰日時を記載する。又、確認ウインドウ２５には、確認操作を得ないまま正常状態に復帰し、さらに異常状態が発生したときは新たな行に、ＣＨ１の番号及び発生日時を記載する。このようにすることで、確認操作のないまま正常状態に復帰したときは、確認日時の欄が空欄になる。
【００５８】
尚、異常発生回数の数字表示２３を、確認操作がされると画面２０から消した例について説明したが、確認操作の後に正常状態に復帰したときに数字表示２３を消してもよい。
【００５９】
又、状態識別表示２２の領域内に異常発生回数の数字表示を重ねて表示する例について示したが、状態識別表示２２の領域内ではなく、状態識別表示２２の上、下、左、又は右などの位置に数字表示を表示させてもよい。又、状態識別表示２２を円形状の形状で表示した例を示したが、四角形状や星型形状などその形状は所望の形状で表示してもよい。又、第１〜第３の表示として、いずれも同じ形状（円形状）で表示した例を示したが、第１の表示を円形状、第２の表示を四角形状、第３の表示を三角形状のように形状を代えて表示してもよい。このように第１〜第３の表示の形状を変える場合、色を代えて表示したほうが視認性に優れるため好ましいが、必要に応じて色は同色で表示してもよい。又、第１〜３の色は、緑色、赤色、橙色に限られず、他の青色、黄色など所望の色で表示してもよい。
【００６０】
又、確認入力手段として、マウス１２で画面２０に表示された確認ウインドウ２５がクリック操作されたときに確認操作が得られる例を示したが、例えば、マウス１２で状態識別表示２２がクリック操作されたときに確認操作が得られるようにしてもよいし、キーボード１３のキー操作で確認操作が得られるようにしてもよい。又、ディスプレイ１１をタッチパネルに換えて、確認ウインドウ２３がタッチ操作されたときに確認操作が得られるようにしてもよい。
【符号の説明】
【００６１】
１は状態表示装置、１０は制御装置、１１はディスプレイ、１２はマウス、１３はキーボード、２０は画面、２１は監視ウインドウ、２２は状態識別表示、２３は数字表示、２４はマウスポインタ、２５は確認ウインドウ、Ｄ１〜Ｄ６は監視信号、Ｓ１０〜Ｓ２９はフローチャートにおけるステップである。
【図１】
2012008649.tif 000003
【図２】
2012008649.tif 000004
【図３】
2012008649.tif 000005
【図４】
2012008649.tif 000006
【図５】
2012008649.tif 000007